(57)【要約】硬膜外患者支持器（２０）は、上半身支持器（１００）と足部支持器（３００）とを含む。上半身支持器（１００）は、患者支持器（２０）から外側に延び、患者の背部を前方に向けて湾曲させた状態で患者の上半身を支持する。足部支持器（３００）は、患者支持器（２０）から外側に延び、患者の足部を支持する。例示する別の実施形態によれば、硬膜外患者支持器（５００）は、患者の背部を上方に向けて湾曲させた硬膜外処置のためのうつ伏せの姿勢で患者（５４０）を位置決めするために提供される。
2004525656.tif 000002
【特許請求の範囲】
【請求項１】
患者支持器であって、
前記患者支持器に結合され、該結合位置から外側に延びて患者の背部を前方に向けて湾曲させた状態で患者の上半身を支持するように構成された上半身支持器と、
前記患者支持器に結合され、該結合位置から外側に延びて患者の足部を支持するように構成された足部支持器と
を備える患者支持器。
【請求項２】
前記上半身支持器が、前記患者支持器の一方の側部に結合される、請求項１記載の患者支持器。
【請求項３】
前記足部支持器が、同じく前記患者支持器の一方の側部に結合される、請求項２記載の患者支持器。
【請求項４】
前記患者支持器の各側部が、上半身支持器と足部支持器とを含む、請求項１記載の患者支持器。
【請求項５】
前記上半身支持器が、前記患者支持器に結合され、目に付かない格納位置と、前記患者支持器から外側に延びて患者の背部を前方に向けて湾曲させた状態で患者の上半身を支持する使用位置との間で移動するように構成された、請求項１記載の患者支持器。
【請求項６】
前記患者支持器が、患者を支持するデッキを含み、前記上半身支持器の目に付かない前記格納位置が前記デッキの下である、請求項５記載の患者支持器。
【請求項７】
前記上半身支持器が、前記患者支持器の一方の側部で前記患者支持器に移動可能に結合されるフレームと、前記フレームに移動可能に結合される上半身支持載置台とを含む、請求項６記載の患者支持器。
【請求項８】
前記フレームが、前記デッキ下の目に付かない格納位置と、前記デッキの上方の中間使用位置との間で移動可能である、請求項７記載の患者支持器。
【請求項９】
前記デッキの上方の前記中間使用位置で前記フレームを係止するように構成されたラッチを更に含む、請求項８記載の患者支持器。
【請求項１０】
前記フレームが前記中間使用位置にあるときに、前記上半身支持載置台が、収容位置と使用位置との間で移動可能である、請求項８記載の患者支持器。
【請求項１１】
前記上半身支持載置台を前記使用位置で係止するように構成されたラッチを更に含む、請求項１０記載の患者支持器。
【請求項１２】
前記上半身支持載置台を前記収容位置で係止するように構成されたラッチを更に含む、請求項１０記載の患者支持器。
【請求項１３】
前記フレームが前記中間使用位置にあり且つ前記上半身支持載置台が前記使用位置にあるとき、前記上半身支持載置台が、患者支持器から外側に延びて患者の上半身を支持する、請求項１０記載の患者支持器。
【請求項１４】
前記フレームを前記患者支持器に軸回動自在に結合するために、前記フレームの各端部にピボット連結部とヒンジ連結部とを備える構造を含む、請求項１３記載の患者支持器。
【請求項１５】
前記フレームが、サイドバーと、その各端部から延びる一対のエンドバーとを含み、前記エンドバーが、ピボット連結部とヒンジ連結部とを備える構造を介して、前記デッキの下の前記格納位置と前記デッキの上方の前記中間使用位置との間での移動のために、それぞれ前記患者支持器に軸回動自在に結合される、請求項１４記載の患者支持器。
【請求項１６】
前記フレームが前記中間使用位置にあるとき、前記サイドバー及び前記エンドバーが、デッキ上に座る患者が足部を通して延ばして足部を前記足部支持器に載せることを可能にする開口空間を形成するように構成される、請求項１５記載の患者支持器。
【請求項１７】
前記フレームが中間使用位置にあり且つ前記上半身支持載置台が格納位置にあるとき、前記上半身支持載置台が、前記開口空間を通過する患者の脚の動きを妨げるように構成される、請求項１６記載の患者支持器。
【請求項１８】
前記上半身支持器が、前記患者支持器に移動可能に結合されたフレームと、前記フレームに移動可能に結合された上半身支持載置台とを含む、請求項１記載の患者支持器。
【請求項１９】
前記患者支持器が、患者を支持するデッキを含み、前記フレームが、前記デッキの下の目に付かない格納位置と、前記デッキの上方の中間使用位置との間で移動可能である、請求項１８記載の患者支持器。
【請求項２０】
前記デッキの上方の前記中間使用位置で前記フレームを係止するように構成されたラッチを更に含む、請求項１９記載の患者支持器。
【請求項２１】
前記フレームが中間使用位置にあるとき、前記上半身支持載置台が、収容位置と使用位置との間で移動可能である、請求項１９記載の患者支持器。
【請求項２２】
前記上半身支持載置台を前記使用位置で係止するように構成されたラッチを更に含む、請求項２１記載の患者支持器。
【請求項２３】
前記上半身支持載置台を前記収容位置で係止するように構成されたラッチを更に含む、請求項２１記載の患者支持器。
【請求項２４】
前記フレームが前記中間使用位置にあり且つ前記上半身支持載置台が前記使用位置にあるとき、前記上半身支持載置台が、前記患者支持器から外側に延びて患者の上半身を支持する、請求項２１記載の患者支持器。
【請求項２５】
前記足部支持器が、前記患者支持器に結合され、目に付かない格納位置と、前記患者支持器から外側に延びて患者の足部を支持する使用位置との間で移動するように構成された、請求項１記載の患者支持器。
【請求項２６】
前記患者支持器が、患者を支持する細長いデッキを含み、前記足部支持器の前記目に付かない格納位置が、前記デッキの下にある、請求項２５記載の患者支持器。
【請求項２７】
前記足部支持器が、前記患者支持器の一方の側部で前記患者支持器に移動可能に結合されるスライド部と、前記スライド部に移動可能に結合される足部支持載置台とを含む、請求項２６記載の患者支持器。
【請求項２８】
前記スライド部が、前記患者支持器に摺動可能に取り付けられた一対の横方向に延びるレールを備える、請求項２７記載の患者支持器。
【請求項２９】
前記スライド部が、前記デッキの下の目に付かない格納位置と、前記デッキから外側に延びる中間使用位置との間で移動可能である、請求項２７記載の患者支持器。
【請求項３０】
前記スライド部が前記中間使用位置にある間、前記足部支持載置台が、収容位置と使用位置との間で移動可能である、請求項２９記載の患者支持器。
【請求項３１】
前記スライド部が前記中間使用位置にあり且つ前記足部支持載置台が前記使用位置にあるとき、前記足部支持載置台が、前記患者支持器から外側に延びて患者の足部を支持する、請求項３０記載の患者支持器。
【請求項３２】
前記足部支持載置台を前記使用位置で係止するように構成されたラッチを更に含む、請求項３０記載の患者支持器。
【請求項３３】
患者の背部を前方に向けて湾曲させた硬膜外処置のための姿勢で患者を位置決めする患者支持器であって、
前記患者支持器にその一方の側部に隣接して結合され、格納位置と使用位置との間で移動可能であり、前記使用位置にあるとき、患者の上半身を支持するように構成された上半身支持器と、
前記患者支持器にその前記一方の側部に隣接して結合され、格納位置と使用位置との間で移動可能であり、前記使用位置にあるとき、患者の足部を支持するように構成された足部支持器と
を備える患者支持器。
【請求項３４】
前記上半身支持器が、
前記患者支持器の前記一方の端部に結合され、目に付かない格納位置と中間使用位置の間で移動するように構成されたフレームと、
前記フレームに結合され、前記フレームが前記中間使用位置にあるとき、収容位置及び使用位置の間で移動するように構成された上半身支持載置台と
を含む、請求項３３記載の患者支持器。
【請求項３５】
前記患者支持器が、患者を支持するデッキを含み、前記フレームが、前記デッキの下の前記目に付かない格納位置と、前記デッキの上方の前記中間使用位置との間で移動可能である、請求項３４記載の患者支持器。
【請求項３６】
前記フレームが、前記中間使用位置にあるとき、前記デッキ上に座る患者が足部を通して延ばして足部を足部支持器に載せることを可能にする開口空間を形成するように構成される、請求項３５記載の患者支持器。
【請求項３７】
前記フレームが前記中間使用位置にあり且つ前記上半身支持載置台が格納位置にあるとき、前記上半身支持載置台が、開口空間を通過する患者の脚の動きを妨げるように構成される、請求項３６記載の患者支持器。
【請求項３８】
前記足部支持器が、前記患者支持器の一方の側部で前記患者支持器に移動可能に結合されるスライド部と、前記スライド部に移動可能に結合される足部支持載置台とを含む、請求項３５記載の患者支持器。
【請求項３９】
前記スライド部が、前記デッキの下の目に付かない格納位置と、前記デッキから外側に延びる中間使用位置との間で移動可能である、請求項３８記載の患者支持器。
【請求項４０】
前記スライド部が前記中間使用位置にあるとき、前記足部支持載置台が、収容位置と使用位置との間で移動可能である、請求項３９記載の患者支持器。
【請求項４１】
前記スライド部が中間使用位置にあり且つ前記足部支持載置台が使用位置にあるとき、前記足部支持載置台が、前記患者支持器から外側に延びて患者の足部を支持する、請求項４０記載の患者支持器。
【請求項４２】
前記患者支持器の各側部に、上半身支持器と足部支持器とを更に備える、請求項３３記載の患者支持器。
【請求項４３】
患者の背部を前方に向けて湾曲させた硬膜外処置のための姿勢で患者を位置決めする担架であって、
基部と、
患者を支持するために前記基部に結合されるデッキにして、第一の側部と、第二の側部と、頭端部と、足端部とを有するデッキと、
前記デッキの一方の側部に隣接して設けられる上半身支持器にして、格納位置と使用位置との間で移動可能であり、前記使用位置にあるとき、患者の上半身を支持するように構成された上半身支持器と、
前記デッキの前記一方の側部に隣接して設けられ、前記デッキの下に取り付けられる載置台を有する足部支持器にして、格納位置と使用位置との間で移動可能であり、前記使用位置にあるとき、患者の足部を支持するように構成された足部支持器と
を備える担架。
【請求項４４】
前記足部支持器が、格納位置と使用位置との間で前記足部支持器の前記載置台の延伸及び格納と昇降とを行うために、デッキの下に取り付けられた機構を備える、請求項４３記載の担架。
【請求項４５】
前記上半身支持器が、前記担架に移動可能に取り付けられたフレームと、前記フレームに移動可能に取り付けられた上半身支持載置台とを含む、請求項４３記載の担架。
【請求項４６】
前記フレームが、前記デッキの下の目に付かない格納位置と、前記デッキの上方の中間使用位置との間で移動可能である、請求項４５記載の担架。
【請求項４７】
前記デッキの上方の前記中間使用位置でフレームを係止するように構成されたラッチを更に含む、請求項４６記載の担架。
【請求項４８】
前記フレームが前記中間使用位置にあるとき、前記上半身支持載置台が、収容位置と使用位置との間で移動可能である、請求項４６記載の担架。
【請求項４９】
前記上半身支持載置台を前記使用位置で係止するように構成されたラッチを更に含む、請求項４８記載の担架。
【請求項５０】
前記上半身支持載置台を前記収容位置で係止するように構成されたラッチを更に含む、請求項４８記載の担架。
【請求項５１】
前記フレームが前記中間使用位置にあり且つ前記上半身支持載置台が使用位置にあるとき、前記上半身支持載置台が、前記担架から外側に延びて患者の上半身を支持する、請求項４８記載の担架。
【請求項５２】
前記フレームが、前記中間使用位置にあるとき、前記デッキ上に座る患者が足部を通して延ばして足部を足部支持器に載せることを可能にする開口空間を形成するように構成される、請求項４８記載の担架。
【請求項５３】
前記フレームが前記中間使用位置にあり且つ前記上半身支持載置台が格納位置にあるとき、前記上半身支持載置台が、前記開口空間を通過する患者の脚の動きを妨げるように構成される、請求項５２記載の担架。
【請求項５４】
患者の背部を前方に向けて湾曲させた硬膜外処置のための姿勢で患者を位置決めする患者支持器であって、
患者を支持する手段と、
患者の上半身が前方に向けて湾曲するように、患者を支持する前記手段に患者が座っているとき、患者の上半身を支持する手段にして、患者を支持する前記手段に結合されて格納位置と使用位置との間で移動可能な手段と、
患者を支持する前記手段に患者が座っているとき、患者の足部を支持する手段にして、患者を支持する前記手段に結合されて格納位置と使用位置との間で移動可能な手段と
を備える患者支持器。
【請求項５５】
患者の背部を上方に向けて湾曲させた硬膜外処置のためのうつ伏せの姿勢で患者を位置決めする患者支持器であって、
デッキと、
前記デッキに取り付けられ、患者の背部が上方に向けて湾曲するように、患者の腰部を前記デッキに対して所望の高さまで上昇させるように構成された、体型に合わせた部分と
を備える患者支持器。
【請求項５６】
前記体型に合わせた部分が、下降格納位置と上昇使用位置との間で移動可能である、請求項５５記載の患者支持器。
【請求項５７】
前記体型に合わせた部分が、患者の背部が上方に向けて湾曲するように患者の背部をデッキに対して所望の高さまで上昇させるように構成されてデッキ上に配置された、少なくとも一枚のパネルを備える、請求項５５記載の患者支持器。
【請求項５８】
前記パネルが、下降格納位置と上昇使用位置との間で移動可能である、請求項５７記載の患者支持器。
【請求項５９】
前記体型に合わせた部分が、患者の背部が上方に向けて湾曲するように患者の背部を前記デッキに対して所望の高さまで上昇させるように構成されて前記デッキ上に配置された、一対の対向するパネルを備える、請求項５５記載の患者支持器。
【請求項６０】
前記体型に合わせた部分が、患者の背部を上方に向けて湾曲させるように構成された膨張式ブラダである、請求項５５記載の患者支持器。
【請求項６１】
前記膨張式ブラダが、患者の背部を上方に向けて湾曲させるように構成された複数の膨張式ブラダである、請求項６０記載の患者支持器。
【発明の詳細な説明】
【０００１】
＝＝＝発明の背景及び概要＝＝＝
本発明は、病院用ベッド及び担架等の患者支持器に関する。特に、本発明は、硬膜外処置等の特定の処置を受ける患者の位置を合わせるように構成された患者支持器に関する。
【０００２】
硬膜外処置は、殆どの場合、病院又は医療施設の患者に適用される。そのため、患者は、患者の背部にアクセスすることが可能なガウンを既に身に付けている場合が多く、病院の担架又はベッドに横になり、処置を待っている。患者の上半身を支持し、患者の背部を適切に露出して硬膜外処理を適用するために、オーバベッドトレイ又は他の何らかの一時的な載置台が使用される場合もある。しかしながら、これは、使いづらいことがあり、硬膜外処置を適用する際の患者の不快感の度合いを高める。更に、処置の施行中に固定されていない可動式の病院用トレイ又はその他の支持器を使用することは、安全ではない。
【０００３】
したがって、本発明は、硬膜外処理の施行中に患者の上半身を支持する上半身支持器を有する患者支持器を提供する。例示する患者支持器は、この患者支持器の一方の側部に隣接する上半身支持器及び足部支持器を含む。この上半身支持器は、格納位置と使用位置との間で移動可能であり、硬膜外処置のための使用位置において、患者の背部を前方に向けてアーチ形にして、患者の上半身を支持するように構成される。この足部支持器は、格納位置と使用位置との間で移動可能であり、使用位置において、患者の足部を支持するように構成される。
【０００４】
別の実施形態において、患者支持器は、患者の背部を上方に向けて湾曲させた硬膜外処置のためのうつ伏せの姿勢で患者を位置決めするために提供される。例示として、この患者支持器は、体型に合わせた部分を有するデッキを含む。この体型に合わせた部分は、格納位置と使用位置との間で移動可能であり、使用位置において、患者の背部を望ましい高さまで上昇させるように構成させる。
【０００５】
本発明の更なる特徴は、現在認め得る発明を実施するための最良の形態を例示する以下の実施形態についての下記詳細な説明に基づき、当業者には明らかとなろう。
【０００６】
＝＝＝図面の詳細な説明＝＝＝
図１は、病院用ベッド又は担架等の例示的な硬膜外患者支持器２０を示している。患者支持器２０は、長い第一の側部３０と、長い第二の側部３２と、頭端部３４と、足端部３６と、縦軸線３８とを含む。患者支持器２０の各側部３０、３２は、上半身支持器１００、１０２と、足部支持器３００、３０２とを含む。図１において、患者４０は、上半身支持器１００に寄り掛かり、硬膜外処置を受ける姿勢で患者の背部を前方へ向けてアーチ形にし、患者の足部を足部支持器３００で支持される状態で図示されている。処置者４２は、硬膜外処置を施行する準備をしている状態で図示されている。患者支持器２０は、上部フレーム４８に結合されたデッキ４６上で支持されるマットレス４４を含む。上部フレーム４８は、次に、縦方向で間隔をあけた一対のリフティング機構５２により支持される中間フレーム５０に取り付けられる。リフティング機構５２は、基部５４に取り付けられ、基部５４は、床面５８上の複数のキャスタ５６によって支持される。
【０００７】
中間フレーム５０には、上半身支持器１００、１０２と、足部支持器３００、３０２とが結合される。患者４０は、上昇した外側へ延びる使用位置１０６に上半身支持器１００が位置決めされると、頭部と両腕を上半身支持器１００に載せる。加えて、患者４０は、下降した外側へ延びる使用位置３０６に足部支持器３００が位置決めされると、足部を足部支持器３００に載せる。患者４０は、上半身支持器１００に寄り掛かると、前かがみにさせられることになる。患者４０の前方への動きにより、患者の背部が露出し、図１に示すように、患者４０が上半身と足部とを上半身及び足部支持器１００、３００によって支持され、快適に休んでいる間に、処置者４２は、硬膜外処置を実行することができる。
【０００８】
上部フレーム４８は、縦方向に延びる二つのサイド部材６０、６２と、横方向に延びる二つのクロス部材（図示せず）とを含む。バンパフレーム６４は、図２に示すように、マットレス４４の周囲に設けられる。バンパフレーム６４は、コーナバンパ６６を含み、これは、処置者４２が握り、フロア５８上で患者支持器２０を動かすためのグリップ領域を提供する。上部フレーム４８及びバンパフレーム６４は、両方とも中間フレーム５０に取り付けられ、中間フレーム５０は、処置者が患者支持器２０の周囲で作業する際に邪魔にならないように、フレーム４８及び６４よりも専有面積が小さい。
【０００９】
中間フレーム５０は、フレーム４８及び６４の下に設けられ縦方向に延びる二本のサイドバー７０、７２を含む。横方向に延びるエンドパネル７４、７６は、サイドバー７０、７２の端部３４、３６に取り付けられる。各エンドパネル７４、７６は、各端部にカットアウト７８を含む。クロスバー８４、８６は、サイドバー７０、７２に取り付けられた一対のブラケット９０、９２によって、サイドバー７０、７２の間に横方向で取り付けられる。リフティング機構５２は、それぞれ、クロスバー８４、８６の一方と基部５４との間で延伸する。
【００１０】
図２に示す通り、処置者４２が患者支持器２０に載る患者４０へ容易にアクセスできるように、基部５４には凹部９４が形成される。基部５４は、様々なフレーム及び機構を入れるブーツを含む。複数のフットペダル９６は、基部５４の下部エッジ９８から外側へ延びる。フットペダル９６は、操作すると、リフティング機構５２を作動させ、デッキ４６を上昇、下降、又は傾斜させる。例示の患者支持器２０は、従来の制動操縦機構（図示せず）を含む。この制動操縦機構は、制動操縦シャフトを制動位置まで回転させた時、キャスタ５６を制動し、キャスタ５６が回転及び旋回するのを防止するキャスタ制動機構を含む。この制動操縦機構は、更に、制動操縦シャフトを操縦位置まで回転させた時、中央車輪を床面５８に接触するまで下降させる操縦機構を含む。このタイプの患者支持器及び様々な機構の更なる詳細は、出典を明記することによりその開示内容全体を本願明細書の一部とする、本発明と同じ譲受人に譲渡された米国特許第５，８０６，１１１号において確認することができる。
【００１１】
例示の硬膜外患者支持器２０は、少なくとも一つの上半身支持器１１０を含む。しかしながら、優れた柔軟性を提供するためには、図１及び図１１に示すように、上半身支持器１００、１０２と足部支持器３００、３０２とが、患者支持器２０の各側部３０、３２に設けられる。上半身支持器１００、１０２は、それぞれ、図３に示す目に付かない格納位置１０４と、図１に示す使用位置１０６との間で移動することができる。同様に、足部支持器３００、３０２は、それぞれ、図１１において破線で示す目に付かない格納位置３０４と、図１に示す使用位置３０６との間で移動することができる。上半身支持器１００、１０２と足部支持器３００、３０２とを、目に付かないデッキ４６下の格納位置１０４、３０４それぞれに移動させることで、患者支持器２０は、従来の患者支持器の役割をも果たす。
【００１２】
患者支持器２０の第一の側部３０にある上半身支持器１００について、最初に説明する。患者支持器２０の第二の側部３２にある上半身支持器１０２の構造及び動作は、これと同様である。上半身支持器１００は、アーチ状経路１０８に沿って格納位置１０４から使用位置１０６まで移動し、アーチ状経路１１０に沿って使用位置１０６から格納位置１０４まで移動する。図１乃至図４に示すように、上半身支持器１００は、縦方向に延びるフレーム１２０と、フレーム１２０に軸回動自在に取り付けられた旋回可能な上半身支持載置台１２２と、フレーム１２０の各端部３４、３６で、フレーム１２０を患者支持器２０の中間フレーム５０に軸回動自在に結合させる概してＪ字形のピボット連結部１２４及びヒンジ連結部１２６を備える構造とを含む。
【００１３】
図２に示すように、フレーム１２０は、縦方向に延びるバー１３０と、その各端部３４、３６から垂直に延びる一対のエンドバー１３４、１３６と、二本のエンドバー１３４、１３６の間で、同じくバー１３０から垂直に延びる同一平面上の支柱１３２とを含む。縦方向に延びるバー１３０とエンドバー１３４、１３６とは、図２に示すように、開口空間１３８を形成し、デッキ４６に座る患者４０は、図１に示すように、これを通じて足を延ばす。縦方向に延びるバー１３０は、上半身支持器１１０が図１に示す使用位置１０６或いは図４に示す中間使用位置１１２（集合的に上昇位置１０６、１０２と呼ぶ）にある時、マットレス４４の上方に位置決めされる。
【００１４】
図３及び図４に示すように、Ｊ字形ピボット連結部１２４は、第一の長尺部分１４０と、第二の中間部分１４２と、第三の短い部分１４４とを備える。長尺部分１４０の自由端部１４６は、横方向に延びるピン１４８の周りでピボット運動するように、フレーム１２０のエンドバー１３４の外壁に接続される。短い部分１４４の自由端部１５０は、横方向に延びるピン１５２の周りでピボット運動するように、中間フレーム５０のエンドパネル７４の外壁に接続される。ヒンジ連結部１２６の一方の端部１５４は、横方向に延びるピン１５６の周りでピボット運動するように、エンドパネル７４の内壁に取り付けられる。ヒンジ連結部１２６の反対の端部１５８は、横方向に延びるピン１６０の周りでピボット運動するように、エンドバー１３４の内壁に取り付けられる。上半身支持器１００が図３に示す格納位置１０４と図１及び図４に示す上昇位置１０６、１１２との間でアーチ状経路１０８、１１０に沿って移動する時、Ｊ字形ピボット連結部１２４は、ピン１４８、１５２の周りで旋回し、ヒンジ連結部１２６は、ピン１５６、１６０の周りで旋回する。図４に示す上半身支持器１００の位置は、中間使用位置１１２と呼ばれ、これは、載置台１２２が、縦方向に延びるバー１３０から概して水平に延びて患者の上半身を支持する図１に示した上昇使用位置２２６ではなく、下方へ延びる収容位置２２４で図示されているためである。
【００１５】
上半身支持器１００は、この上半身支持器１００を上昇位置１０６、１１２に維持するラッチ組立体１７０を含む。図５乃至図７を参照すると、ラッチ組立体１７０は、角度の付いた底面１７４と垂直に配置された上面１７６とを有するラッチブロック１７２を含む。Ｊ字形ピボット連結部１２４の中間部分１４２は、上半身支持器１００がアーチ状経路１０８に沿って上昇位置１０６、１１２に向かって移動するにしたがって、ラッチブロック１７２の角度のある表面１７４と係合する。ラッチブロック１７２は、バネ加圧ラッチプレート１８０の内部表面に取り付けられる。ラッチプレート１８０は、接合組立体１８２によって、中間フレーム５０のエンドパネル７４に可動状態で結合される。接合組立体１８２は、エンドパネル７４の外部表面に取り付けられる第一の部分１８６と、概して垂直に第一の部分１８６に付加される第二の部分１８８とを備える角度の付いたブラケット１８４を含む。ラッチプレート１８０と、角度の付いたブラケット１８４の第二の部分１８８とは、ボルト１９４が通過する同軸の開口部１９０、１９２を含むように形成される。ボルト１９４は、本体１９６と、本体１９６の外端部に取り付けられたキャップ１９８と、本体１９６の内端部に取り付けられたボルトヘッド２００とを備える。圧縮スプリング２０２は、ボルトヘッド２００と、ブラケット１８４の第二の部分１８８の内壁との間で、本体１９６の周囲に設けられる。
【００１６】
上半身支持器１００が上昇位置１０６、１１２に向かって移動すると、Ｊ字形ピボット連結部１２４の中間部分１４２は、図６に示すように、２０４の方向に移動し、中間部分１４２の上部エッジ１７８は、ラッチブロック１７２の角度の付いた表面１７４と係合し、ラッチブロック１７２とラッチプレート１８０とを方向２０６で外側に押しやる。ラッチプレート１８０の外側への動きにより、ボルト１９４は、同様に２０６の方向に移動し、バネ２０２を圧縮する。上昇位置１０６、１１２へ向かう上半身支持器１００の動きに応じて、ピボット連結部１２４の中間部分１４２が引き続き方向２０４に上方へ移動する間、圧縮されたバネ２０２は、ラッチブロック１７２を中間部分１４２の外部表面に押し付ける状態を維持する。中間部分１４２の底部エッジ２０８がラッチブロック１７２の垂直に配置された上面１７６を通過すると、バネ２０２によって、ラッチブロック１７２は、当初の位置に跳ね戻り、図７に示すように、上半身支持器１００を上昇位置１０６、１１２に係止する。
【００１７】
ラッチプレート１８０は、その上部エッジから概して垂直に内側へ延びる角度の付いた部分２１０を含む。角度の付いた部分２１０の上部表面には、ブラケット２１２が取り付けられる。操作用引紐２１４の一方の端部が、ブラケット２１２に取り付けられる。操作用引紐２１４が２１６の方向にブラケット２１２を引っ張る時、ラッチプレート１８０とラッチブロック１７２とは、図７において破線で示すように、方向２０６へ移動する。ラッチブロック１７２が、中間部分１４２の底部エッジ２０８を通過すると、上半身支持器１００は解放され、図３に示す下降した目に付かない格納位置１０４へ戻る。上半身支持器１００が目に付かない格納位置１０４へ戻る際の動きを減衰させるために、減衰手段を設けることができる。上半身支持器１００を格納位置１０４で係止し、上半身支持器１００がデッキ４６の下で安全に収容される状態を確保するために、掛け金等の従来の手段を設けることができる。
【００１８】
上半身支持器１００が図４に示す中間使用位置１１２にある時、上半身支持載置台１２２は、縦方向に延びるバー１３０から載置台１２２が概して下方へ延びる図８に示す収容位置２２４と、図１に示すように患者の背部を前方に向けて湾曲させた状態で患者４０の上半身を支持するために、縦方向に延びるバー１３０から載置台１２２が概して外側へ延びる図９に示す上昇使用位置２２６との間で移動することができる。載置台１２２は、概して長方形の表面２３８と、縦方向に延びる側部２４０、２４２と、横方向に延びる端部２４４、２４６とを含む。載置台１２２は、その一方の側部２４２に沿って、縦方向に間隔のあいた一対のヒンジ２５４、２５６に取り付けられる。図８及び図９の破線及び図１０の実線で示すように、縦方向に延びるバー１３０は、ヒンジ２５４、２５６を通って延び、収容位置２２４と上昇使用位置２２６との間で載置台１２２を縦方向に延びるバー１３０に軸回動自在に結合する。ヒンジ２５６は、縦方向に延びるバー１３０を包み込む本体２５８と、その外端部２６２から内側へ縦方向に延びるノッチ２６０とを含む。
【００１９】
上半身支持器１００が図４に示す中間使用位置１１２にあり、載置台１２２が図８に示す収容位置２２４にある時、載置台１２２と支柱１３２とは、縦方向に延びるバー１３０から概して垂直に延び、ヒンジ２５６のノッチ２６０は、バー１３０から概して水平に内側へ延びる。載置台１２２が、縦方向に延びるバー１３０の周囲で、バー１３０から概して水平に延びる上昇使用位置２２６に向かって、方向２２８に旋回する時、ノッチ２６０は、図９に示すように、バー１３０から概して垂直に下方へ延びる。載置台１２２を概して水平な使用位置２２６で係止するためには、最初に載置台１２２を概して水平な位置までバー１３０の周囲で方向２２８に旋回させ、その後、図１０に示すように、垂直に延びる支柱１３２がヒンジ２５６のノッチ２６０に受け入れられるまで、バー１３０に沿って方向２６６に縦方向に並進させる。載置台１２２を図８に示す収容位置２２４に戻すには、ノッチ２６０が垂直支柱１３２を通過するまで、載置台１２２をバー１３０に沿って方向２６４に並進させる。その後、載置台１２２を、図８の収容位置２２４まで、２３０の方向に下向きに旋回させる。
【００２０】
したがって、図１に示すように、患者に硬膜外処置を受ける位置をとらせるには、載置台１２２がバー１３０から水平に外側へ延びる上昇使用位置２２６へと載置台１２２を移動させ、患者の背部を前方に向けて湾曲させた状態で患者の上半身を載置台１２２に載せることが可能となり、フレーム１２０によって形成される開口空間１３８を通して患者の足を延ばし、足部支持器３００に載せることが可能となるようにする。図２及び図４に示すように、上半身支持器１００が中間使用位置１１２にあり、載置台１２２が垂直収容位置２２４にある時、載置台１２２は、バー１３０から垂直に下方へ延び、開口空間１３８の一部を塞いで、開口空間１３８を通過する患者の脚部の動きを妨げる。載置台１２２は、掛け金等の従来の手段により、垂直収容位置２２４で所定の位置に係止することができる。患者支持器２０の第二の側部３２の上半身支持器１０２の構造及び動作は、これと同様である。
【００２１】
図１１乃至図１５を参照すると、足部支持器３００、３０２は、上部フレーム４８と中間フレーム５０との間において、図１１に破線で示すようなデッキ４６下の格納位置３０４と、図１１に実線で示すようなデッキ４６から外側に延びる暫定位置３１０との間での横方向の動きに関して、摺動可能にデッキ下４６に取り付けられる。患者支持器２０の第一の側部３０にある足部支持器３００について、下に説明する。患者支持器２０の第二の側部３２にある足部支持器３０２の構造及び動作は、これと同様である。足部支持器３００は、横方向に延びる二本のレール３１４、３１６（集合的にスライド部と呼ぶ）と、図１３に破線で示す収容位置３２４及び図１３に実線で示す外側に延びる使用位置３２６の間での動作のためにレール３１４、３１６に軸回動自在に取り付けられた旋回可能な足部支持載置台３２２とを含む。レール３１４、３１６は、外端部３３４、３３６及び内端部３４４、３４６をそれぞれ有する。図１４及び図１５に示すように、載置台３２２は、収容位置３２４と、レール３１４、３１６から水平に外側へ延びる使用位置３２６との間において、横方向に延びるピン３５４、３５６の周囲で旋回動作するために、レール３１４、３１６の外端部３３４、３３５に取り付けられる。レール３１４の上部壁３６４は、内端部３４４に隣接するノッチ３７４を含む。同様に、レール３１６の上部壁３６６は、内端部３４６に隣接するノッチ３７６を含む。
【００２２】
図１２乃至図１５に示すように、横方向に延びるクロスプレート３７８は、レール３１４、３１６を摺動可能に支持するために、中間フレーム５０の縦方向に延びるサイドバー７０、７２の間で延びる。縦方向に延びるロッド３８０は、サイドバー７０に取り付けられた一対のブラケット３８４、３８６によって支持される。ロッド３８０のサイズは、図１２に示すようにレール３１４、３１６をデッキ４６下から３８８の方向に暫定位置３１０まで引き出し、図１３に破線で示すように方向３９０に中間使用位置３１２まで下向きに旋回させる時、レール３１４、３１６のノッチ３７４、３７６に受け入れられるようになっている。
【００２３】
図１４及び図１５を参照すると、載置台３２２は、概して長方形のパネル３９８と、縦方向に延びる側部４００、４０２と、横方向に延びる端部４０４、４０６とを備える。載置台３２２は、パネル３９８の下側に一対の補強支柱４０８、４１０を含む。パネル３９８は、載置台３２２の内側部４０２に隣接する切り抜き部４１２を含んでおり、処置者が載置台３２２の内側部４０２を握り、図１３に示すように収容位置３２４から使用位置３２６まで、方向３０８に旋回させることが可能となる。
【００２４】
したがって、足部支持器３００を図１に示す使用位置３０６まで移動させるには、図１２に示すようにレール３１４、３１６を、デッキ４６下から暫定位置３１０まで、３８８の方向に引き出す。その後、図１３に示すように、縦方向に延びるロッド３８０がレール３１４、３１６のノッチ３７４、３７６に入り込むまで、レール３１４、３１６を方向３９０に旋回させ、暫定使用位置３１２にする。レール３１４、３１６は、図１３に示すように、中間フレーム５０のサイドバー７０の外側上部エッジ４１４の周りで旋回する。載置台３２２の内側部４０２を掴み、図１３に破線で示すように載置台３２２を方向３０８へ旋回させ、図１３に実線で示す水平な外側に延びる使用位置３０６にする。ピン４２４、４２６は、載置台３２２の外側部４００に隣接する載置台３２２の横方向に延びる端部４０４、４０６の外壁に固定される。ピン４２４、４２６は、レール３１４、３１６の底壁４３４、４３６と係合し、載置台３２２の旋回運動を制限する。ピン４２４、４２６は、載置台３２２が概して水平に延び、図１に示すように患者の足部を支持するように配置される。上で説明したのと逆の手順で、足部支持器３００をデッキ４６下の格納位置３０４に戻すことができる。患者支持器２０の第二の側部３２にある足部支持器３０２の構造及び動作は、これと同様である。患者支持器２０の対向する側部３０、３２にある足部支持器３００、３０２は、互いに対して縦方向３８にずれており、図１４に示すように、両方ともデッキ４６下でそれぞれの格納位置３０４に移動させることができる。レール３１４、３１６は、患者の足部を快適に支持する任意の望ましい長さにすることができる。
【００２５】
例示的な硬膜外患者支持器の第二の実施形態５００を図１６に示す。患者支持器５００は、上部フレーム（図示せず）に結合されたデッキ５０４上で支持されるマットレス５０２を含む。この上部フレームは、縦方向に間隔をあけて基部５１８に取り付けられた一対のリフティング機構５１４、５１６で支持され、次に、基部５１８は、床面（図示せず）上の複数のキャスタ（図示せず）によって支持される。患者支持器５００は、デッキ５０４の頭端部及び足端部にそれぞれ隣接する二枚の立上りパネル５２４、５２６と、立上りパネル５２４、５２６に結合され、各パネルを目に付かない下降位置（図示せず）及び矢印５３４、５３６で示す上昇使用位置の間で移動させるリフティング組立体５２８とを含む。パネル５２４、５２６は、例示の実施形態において、デッキ５０４の下側に軸回動自在に結合されるが、上部フレームに結合することもできるし、或いは別の方法においては、上部フレームを支持する中間フレームに結合することもできる。デッキ５０４は、マットレス５０２上にうつ伏せの姿勢で横たわる患者５４０の足部を支持するために、下方に傾斜したフットパネル５３８を含む。リフティング組立体５２８は、足端部５４６に手動クランク５４４が取り付けられた細長いウォームスクリュ５４２を含む。ウォームスクリュ５４２は、上部フレームに結合されたブラケット５５４によって、回転可能な状態で支持される。クランク５４４を回すことで、ウォームスクリュ５４２は、縦方向に間隔があいた一対の屈曲連結部５６４、５６６を移動させる。屈曲連結部５６４、５６６は、それぞれ、短い部分５６８、５７０と、長尺部分５７２、５７４とを有する。屈曲連結部５６４、５６６の頂点５７６、５７８は、デッキ５０４の下側に固定された一対の垂下ブラケット５８０、５８２に軸回動自在に結合される。ブラケット５８０、５８２は、デッキ５０４ではなく、上部フレーム又は中間フレームに固定することもできる。長尺部分５７２、５７４の上端部５８４、５８６は、立上りパネル５２４、５２６の下側５８８、５９０と係合し、手動クランク５４４の回転に応じて立上りパネル５２４、５２６を持ち上げるように構成される。
【００２６】
短い部分５６８、５７０の下端部５９２、５９４は、ナット５９６、５９８によってウォームスクリュ５４２に移動可能に結合される。ウォームスクリュ５４２を６００の方向に回転させると、屈曲連結部５６４、５６６の下端部５９２、５９４は、足端部５４６近くの手動クランク５４４に向けて移動する。その結果、長尺部分５７２、５７４は、頂点５７６、５７８の周りで旋回し、立上りパネル５２４、５２６を、それぞれの上昇使用位置まで、５３４、５３６の方向に移動させる。逆に、ウォームスクリュ５４２を反対方向６０２に回転させると、屈曲連結部５６４、５６６の長尺部分５７２、５７４は、反対方向に旋回し、立上りパネル５２４、５２６を、それぞれの目に付かない格納位置まで下降させる。
【００２７】
以上、本発明を特定の好適な実施形態に基づき詳細に説明してきたが、上で説明した本発明の範囲及び趣旨内で種々の変形例及び修正例が存在する。
【図面の簡単な説明】
【図１】
患者支持器の両側部に上半身及び足部支持器を有する硬膜外患者支持器を例示する端面図であり、上半身支持器に寄り掛かった患者が、硬膜外処置を受ける姿勢で患者の背部を前方に向けてアーチ形にし、患者の足部を足部支持器で支持される状態を示し、更に、処置者が硬膜外処置を施す準備をする状態を示す図である。
【図２】
患者支持器の各側部の上半身支持器を示す図１の患者支持器の斜視図であり、前側部の上半身支持器が目に付かない格納位置で図示され、後側部の上半身支持器が中間使用位置で図示されている図である。
【図３】
上半身支持器を、格納位置で示す図１の患者支持器の部分端面図である。
【図４】
上半身支持器を、中間使用位置で示す図１の患者支持器の部分端面図である。
【図５】
上半身支持器のラッチ組立体の動作を示す図１の患者支持器の部分断面端面図であり、ラッチが外れた位置での上半身支持器を示す図である。
【図６】
上半身支持器のラッチ組立体の動作を示す図１の患者支持器の部分断面端面図であり、上半身支持器が図３の格納位置から図４の中間使用位置へと移動する際に、ラッチと係合する上半身支持器を示す図である。
【図７】
上半身支持器のラッチ組立体の動作を示す図１の患者支持器の部分断面端面図であり、ラッチが掛かった位置での上半身支持器を示す図である。
【図８】
下方へ延びる格納位置での上半身支持載置台を示す部分斜視図である。
【図９】
水平な外側へ延びる使用位置での上半身支持載置台を示す部分斜視図である。
【図１０】
水平な外側へ延びる使用位置での上半身支持載置台を示す部分断面端面図である。
【図１１】
患者支持器の各側部に上半身支持器を示す図１の患者支持器の斜視図であり、両側部の上半身支持器がそれぞれの中間使用位置で図示され、前側部の足部支持器が中間使用位置で図示され、後側部の足部支持器は、破線により、目に付かない格納位置で図示されている。
【図１２】
足部支持器を外側へ延びる位置で示す図１の患者支持器の部分断面端面図である。
【図１３】
足部支持器を使用位置で示す図１の患者支持器の部分断面端面図である。
【図１４】
マットレスを取り除き、両方の足部支持器を格納位置で示した図１の患者支持器の部分平面図である。
【図１５】
一方の足部支持器を格納位置で示し、他方の足部支持器を使用位置で示した図１４と同様の別の部分平面図である。
【図１６】
患者支持器の第二の実施形態を示す側面図であり、この患者支持器に載った患者が、うつ伏せの姿勢で、硬膜外処置を受けるために、患者の背中を上方に向けて湾曲させた状態を示す図である。
【国際公開パンフレット】
2004525656.tif 000003
2004525656.tif 000004
2004525656.tif 000005
2004525656.tif 000006
2004525656.tif 000007
2004525656.tif 000008
2004525656.tif 000009
2004525656.tif 000010
2004525656.tif 000011
2004525656.tif 000012
2004525656.tif 000013
2004525656.tif 000014
2004525656.tif 000015
2004525656.tif 000016
2004525656.tif 000017
2004525656.tif 000018
2004525656.tif 000019
2004525656.tif 000020
2004525656.tif 000021
2004525656.tif 000022
2004525656.tif 000023
2004525656.tif 000024
2004525656.tif 000025
2004525656.tif 000026
2004525656.tif 000027
2004525656.tif 000028
2004525656.tif 000029
2004525656.tif 000030
【国際調査報告】
2004525656.tif 000031
2004525656.tif 000032
2004525656.tif 000033